(57)【要約】【課題】  構成が簡素化されかつスペース効率の改善が図られてなる住宅の制振装置を提供する。【解決手段】  本発明の住宅の制振装置Ａは、質量ブロック１と、該質量ブロック１を収納・保持する収納ボックス２と、該収納ボックス２を保持する平行板バネ３とを備えてなるものであって、前記質量ブロック１が、所要数の鋼板１０，１０，１０…と、粘性流体２３が所定深さ例えば２／３程度の深さで充填されてなる振動抑制体２０とを積層してなるものである。また、振動抑制体２０は、中空ボックス２２と、該中空ボックス２２内に千鳥配列に配置された抵抗板２１とを備えてなるものとされる。【選択図】  図２
2005090194.tif 000002
【特許請求の範囲】
【請求項１】
質量ブロックと、該質量ブロックを収納・保持する収納ボックスと、該収納ボックスを保持する平行板バネとを備えてなる住宅の制振装置であって、
前記質量ブロックが、振動特性が異なる部材を積層してなるものとされてなることを特徴とする住宅の制振装置。
【請求項２】
質量ブロックと、該質量ブロックを収納・保持する収納ボックスと、該収納ボックスを保持する平行板バネとを備えてなる住宅の制振装置であって、
前記質量ブロックが、所要数の鋼板と、粘性流体が所定深さで充填されてなる振動抑制体とを積層してなるものであることを特徴とする住宅の制振装置。
【請求項３】
振動抑制体は、中空ボックスと、該中空ボックス内に配置された抵抗板とを備えてなるものとされてなることを特徴とする請求項２記載の住宅の制振装置。
【請求項４】
抵抗板が水平方向に千鳥配列とされてなることを特徴とする請求項３記載の住宅の制振装置。
【請求項５】
抵抗板が上下方向に千鳥配列とされてなることを特徴とする請求項３記載の住宅の制振装置。
【請求項６】
振動抑制体は、中空ボックスと、該中空ボックス内に所定間隔で配置された仕切板とを備え、
前記仕切板に透孔が所定間隔で設けられてなることを特徴とする請求項２記載の住宅の制振装置。
【請求項７】
収納ボックスが水密とされ、該に収納ボックス粘性流体が所定深さで充填されてなることを特徴とする請求項１または２記載の住宅の制振装置。
【発明の詳細な説明】
【技術分野】
【０００１】
本発明は住宅の制振装置に関する。さらに詳しくは、構成の簡素化および小型化が図られてなる住宅の制振装置に関する。
【背景技術】
【０００２】
近年、住宅の耐震性の向上を図る観点から住宅の天井裏に制振装置が設けられるようになってきている。
【０００３】
かかる制振装置としては、図７に示すように、鋼材ブロックａを収納ボックスｂに収納・保持し、その収納ボックスｂを平行板バネｃにより支持し、地震時にそれを共振させて住宅の振動を抑制するとともに、鋼材ブロックａの振幅の増大をダンパーｄやバネｅによって抑制するようにしてなる形式の制振装置（以下、ＴＭＤ（チューンド・マスダンパー）という）Ａ’、あるいは図８に示すように、水や油などの粘性流体ｆが充填された容器ｇを平行板バネｈにより支持し、地震時にそれを共振させて住宅の振動を抑制するようにしてなる形式の制振装置（以下、ＬＭＤ（リキッド・マスダンパー）という）Ａ’’が知られている。
【０００４】
ＴＭＤは共振部に鋼材ブロックａを用いているので、共振部の小型化は図られるが、ダンパーｄやバネｅを別途必要とするため、構成が複雑となるばかりでなくスペース効率の悪化も招来しているという問題がある。その上、ＴＭＤを小規模住宅に適用する場合、住宅の規模に見合ったダンパーｄやバネｅを実現するのが困難であるという根本的な問題もある。
【０００５】
これに対し、ＬＭＤは共振部に粘性流体ｆを用いているので、ダンパーｄやバネｅを別途必要とはしないが、粘性流体ｆは比重が鋼材に比して小さいために所望の質量を確保すると共振部が大型化し、ＴＭＤと同様にスペース効率の悪化を招来するという問題がある。
【発明の開示】
【発明が解決しようとする課題】
【０００６】
本発明はかかる従来技術の課題に鑑みなされたものであって、構成が簡素化されかつスペース効率の改善が図られてなる住宅の制振装置を提供することを目的としている。
【課題を解決するための手段】
【０００７】
本発明の住宅の制振装置は、質量ブロックと、該質量ブロックを収納・保持する収納ボックスと、該収納ボックスを保持する平行板バネとを備えてなる住宅の制振装置であって、前記質量ブロックが、振動特性が異なる部材を積層してなるものとされてなることを特徴とする。
【０００８】
本発明の住宅の制振装置は、具体的には、質量ブロックと、該質量ブロックを収納・保持する収納ボックスと、該収納ボックスを保持する平行板バネとを備えてなる住宅の制振装置であって、前記質量ブロックが、所要数の鋼板と、粘性流体が所定深さで充填されてなる振動抑制体とを積層してなるものであることを特徴とする。
【０００９】
本発明の住宅の制振装置においては、振動抑制体は、中空ボックスと、該中空ボックス内に配置された抵抗板とを備えてなるものとされてなるのが好ましい。その場合、抵抗板が水平方向に千鳥配列とされてもよく、あるいは抵抗板が上下方向に千鳥配列とされてもよい。
【００１０】
また、本発明の住宅の制振装置においては、振動抑制体は、中空ボックスと、該中空ボックス内に所定間隔で配置された仕切板とを備え、前記仕切板に透孔が所定間隔で設けられてなるのも好ましい。
【００１１】
さらに、本発明の住宅の制振装置においては、収納ボックスが水密とされ、該に収納ボックス粘性流体が所定深さで充填されてなるのが好ましい。
【発明の効果】
【００１２】
本発明の住宅の制振装置によれば、ダンパーや振動抑制バネを付加することなく地震時における住宅の制振がなし得る。また、質量ブロックの大型化が回避されかつ構成も簡素化されているので、小規模住宅にも容易に適用できる。
【発明を実施するための最良の形態】
【００１３】
以下、添付図面を参照しながら本発明を実施例に基づいて説明するが、本発明はかかる実施例のみに限定されるものではない。
【実施例１】
【００１４】
本発明の実施例１に係る住宅の制振装置（以下、単に装置という）を図１に示す。
【００１５】
装置Ａは、図１に示すように、直方体状とされた質量ブロック１と、その質量ブロック１を例えばボルト・ナット留めにて収納・保持している直方体状とされた収納ボックス２と、収納ボックス２を例えばボルト・ナット留めにて支持している平行板バネ３とを主要構成要素として備え、平行板バネ３の各板バネ４の両端部が対向する天井梁Ｂ，Ｂに載架・固定されてなるものとされる。
【００１６】
質量ブロック１は、図２に示すように、所要数の長方形状鋼板１０と、内部に粘性流体、例えば水や油が所定深さで充填された長方形状振動抑制体２０とを積層してなるものとされる。すなわち、質量ブロック１は、振動特性の異なる部材つまりＴＭＤとＬＭＤとを組み合わせてなるものとされる。なお、図示はされていないが、長方形状鋼板１０および振動抑制体２０には、長方形状鋼板１０および振動抑制体２０を収納ボックス２に固定するためのボルトを挿通するための孔が適宜設けられている。
【００１７】
振動抑制体２０は、例えば図３〜図５に示すようなものとされる。すなわち、振動抑制体２０は、抵抗板２１が水平方向に千鳥配列に配置された中空ボックス２２に、粘性流体２３を充填してなるものとされたり、透孔２４が適宜に設けられた仕切板２５により数区画に仕切られた中空ボックス２２に、粘性流体２３を充填してなるものとされたり、抵抗板２７が上下方向に千鳥配列に配置された中空ボックス２２に、粘性流体２３を充填してなるものとされたりする。ここで、抵抗板２１の幅は中空ボックス２２の幅の半分程度とされ、抵抗板２７の高さは中空ボックス２２の深さの半分程度とされ、仕切板２５の孔２４の数およびサイズは、所定の振動抑制が得られるように調整される。また、粘性流体２３の充填は中空ボックス２２の深さの２／３程度とされる。
【００１８】
収納ボックス２は上面が開放されてなるボックスとされ、明瞭には図示はされていないが、底面には質量ブロックを固定するボルトを挿通するための孔が設けられ、また両側面には平行板バネ３の各板バネ４，４を固定するボルトを挿通するための孔がそれぞれ一対対向させて設けられている。
【００１９】
平行板バネ３は、装置Ａの振動数が設置される住宅の固有振動数に一致するようそのバネ定数が設定される。また、各板バネ４の端部には板バネ４を天井梁Ｂに固定するための固定部材５が装着されている。固定部材５は、例えば図１に示すように、一対のアングルを一方がＬ字状となるように、他方が逆Ｌ字状となるようにして取り付けてなるものとされる。
【００２０】
このように、実施例１においては、共振部を構成する質量ブロック１をＴＭＤとＬＭＤとの組み合せにより構成しているので、バネやダンパーを別途付加する必要がなく、また質量ブロック１の大型化も抑制される。そのため、小規模住宅にも装置Ａを設置することができる。
【実施例２】
【００２１】
本発明の実施例２に係る装置Ａ１を図６に示す。この実施例２は実施例１を改変してなるものであって、収納ボックス２Ａを水密として収納ボックス２Ａ内にも粘性流体２３を充填してなるものとされる。この場合、収納ボックス２Ａを水密とする構成としては、公知の各種構成を適宜適用することができその構成に特に限定はない。なお、実施例２のその余の構成は実施例１と同様とされている。
【００２２】
このように、実施例２においては、収納ボックス２Ａ内にも粘性流体が充填されているので、振動抑制体の小型化が図られ質量ブロックの大型化の抑制がより一層促進される。そのため、小規模住宅への装置の設置が促進される。
【産業上の利用可能性】
【００２３】
小規模住宅の地震時における振動抑制を実現できる。
【図面の簡単な説明】
【００２４】
【図１】本発明の実施例１に係る住宅の制振装置の概略図であって、同（ａ）は平面図を示し、同（ｂ）は側面断面図を示す。
【図２】同実施例の質量ブロックの概略図である。
【図３】同質量ブロックの振動抑制体の一例の概略図であって、同（ａ）は平面図を示し、同（ｂ）は側面図を示す。
【図４】同質量ブロックの振動抑制体の他の例の概略図であって、同（ａ）は平面図を示し、同（ｂ）は側面図を示し、同（ｃ）は仕切板の部分拡大図を示す。
【図５】同質量ブロックの振動抑制体のさらに他の例の概略図であって、同（ａ）は平面図を示し、同（ｂ）は側面図を示す。
【図６】本発明の実施例２に係る住宅の制振装置の概略図であって、同（ａ）は平面図を示し、同（ｂ）は側面断面図を示す。
【図７】ＴＭＤの概略図である。
【図８】ＬＭＤの概略図である。
【符号の説明】
【００２５】
１      質量ブロック
２      収納ボックス
３      平行板バネ
４      板バネ
５      固定部材
１０      鋼板
２０      振動抑制体
２１      抵抗板
２２      中空ボックス
２３      粘性流体
２４      透孔
２５      仕切板
２７      抵抗板
Ａ      制振装置
【図１】
2005090194.tif 000003
【図２】
2005090194.tif 000004
【図３】
2005090194.tif 000005
【図４】
2005090194.tif 000006
【図５】
2005090194.tif 000007
【図６】
2005090194.tif 000008
【図７】
2005090194.tif 000009
【図８】
2005090194.tif 000010